(57)【要約】本発明は、三次元構築用のハブキャリアおよびハブからなるチューブ組立装置に係る。ハブキャリアは、舌状部１、１４を備え、前後軸に対して約９０度の角度をなし、四つの連結ラグ１０、１１によって連結された、二対のハーフリング８、９からなり、チューブの端部に、またはチューブに沿って固定され、二つのチューブを定位置あるいはバランスのよい位置に結合する。ハブは、舌状部３とリング状の拡張部４を備える。舌状部は、折り曲げて、または折り曲げずにチューブ内に挿入でき、拡張部４は、その内部に引っかけ歯５、６、７を有する。これにより、ハブおよびハブキャリアがチューブまたは弾性リンクにより連結され、ハブまたはハブキャリアを折り曲げたり、組み合わせることで、少ない数の構成要素でも、多様な構造モデルを構築することができる。
2005534067.tif 000002
【特許請求の範囲】
【請求項１】
様々な直径を持つチューブに適用でき、素材チューブを組み立てることが可能な、可撓性ハブおよび可撓性ハブキャリアからなるチューブ組立装置であって、
該チューブ組立装置は、幾何学、化学、工学、その他の学科の教育、学習および実践に使用される堅固な、または弾性を有する二次元または三次元構造を構築するために、上記チューブを所望の長さに切断し、かつ、これらのチューブを、その端部を変形することなくそのまま使用することを可能とし、
上記学科の教育は、その他の分野で使用される構成要素の構造物と同様に、二次元または三次元モデルの使用により、しばしば容易になるものであり、
前記チューブ組立装置のハブは、中央オリフィスを有する円錐形または平坦な軸部１７を備え、このオリフィスの周囲に、長さ方向の中間部が幅狭になっている可撓性舌状部３および、引っ掛け歯５、６、７を有する放射状リング４を備え、前記引っ掛け歯はハブの中心方向に向いており、前記可撓性舌状部３は、その幅狭部を折り曲げずに、または折り曲げて、チューブ内部に挿入することができ、また、リンク２１を前記放射状リング４の引っ掛け歯５、６、７の基部に引っ掛けることができ、
前記可撓性ハブキャリアは、組み立てに使用するチューブをその内部に固定でき、その上にハブを装着できるようになっており、放射状の鉤形の外部拡張部２と、一対の前部ハーフリング８と一対の後部ハーフリング９からなる二対のハーフリングを有し、
前記二対のハーフリングは、四つの連結ラグ１０、１１によって結合され、前後軸に対して９０度の角度を有しており、一対の前部ハーフリング８からは、少なくとも一対の舌状部１が、反対側の一対の後部ハーフリング９の基部に向かって延出しており、
チューブがハブキャリアに挿入されたとき、舌状部１および１４の全てをチューブの外側に残し、ハブキャリアがチューブに沿って設置され、チューブが舌状部１および１４の間で軽く押圧されるようにするか、または、舌状部１および１４のいずれかを、チューブ内に挿入して、ハブキャリアをチューブの端部で固定することができることを特徴とするチューブ組立装置。
【請求項２】
請求項１に記載のチューブ組立装置であって、
四つの連結ラグ１０、１１は、鉤形の放射状の拡張部２を有し、これにより、構造の様々な構成要素を結合する弾性リンク２１を引っ掛けることが可能となり、また、ハブキャリアに通される一つまたは複数のバブを固定することが可能となり、
ハブがハブキャリアに通されたとき、ハブキャリアがチューブに沿って位置している場合、すなわち舌状部１および１４がチューブの外側にある場合、ハブからの圧力は、チューブにかかる舌状部１および１４の圧力を増加させ、また、舌状部１または１４がチューブの内側に挿入されている場合、すなわちハブキャリアがチューブの端部に位置している場合、前記チューブは、チューブ内に位置する舌状部１または１４と、チューブの外側に位置するハーフリング８または９との間で押圧されることを特徴とするチューブ組立装置。
【請求項３】
分岐舌状部１２が、前部ハーフリング８より延出し、その中間部の前後に拡張部１３を有し、この拡張部の間に、ハブキャリアに通されたハブが固定されることを特徴とする、請求項１に記載のチューブ組立装置。
【請求項４】
前部ハーフリング８より延出した舌状部１は、ハブキャリアの後部に向かうにつれ、ハブキャリアの軸方向へと収束することを特徴とする、請求項１に記載のチューブ組立装置。
【請求項５】
前記ハブキャリアは、後部ハーフリング９より延出し、前部ハーフリング８へ向かうにつれ分岐する第二の一対の舌状部１４を有し、該舌状部１４は、連結ラグ間の間隙よりも大きい最大幅を有し、ハブキャリアに押入されるとハブキャリア内部にロックされることを特徴とする、請求項１に記載のチューブ組立装置。
【請求項６】
前記連結ラグ１０および１１は、ハブキャリアの第二の一対の舌状部１４が、ハブキャリアの内部に押入されるとき位置する部分において、肉薄になっていることを特徴とする、請求項５に記載のチューブ組立装置。
【請求項７】
請求項４または５に記載のチューブ組立装置であって、
前記ハブキャリアの舌状部１および１４は、およそ半分までは幅狭１５であり、中間部において幅広になり、かつ、丸くなって最大幅１６を有し、チューブをハブキャリアの両端部からそれぞれ挿入する場合、前部ハーフリング８から延出する舌状部１は、ハブキャリアの後部から差し込まれるチューブ内に挿入され、後部ハーフリング９から延出する舌状部１４は、ハブキャリアの前部から差し込まれるチューブ内に挿入され、これにより、二対の舌状部１および１４は互いに交差し、各対の基部は他方の一対の末端部で閉じ合い、二つのチューブは端部で連結されることを特徴とするチューブ組立装置。
【請求項８】
上部の連結ラグ１０は、一方の前部ハーフリング８の両後部側部をハブキャリアの左右の後部ハーフリング９の上部に連結し、下部の連結ラグ１１は、他方の前部ハーフリング８の両後部側部をハブキャリアの左右の後部ハーフリング９の下部に連結することを特徴とする、請求項１に記載のチューブ組立装置。
【請求項９】
ハブの放射状リング４の引っ掛け歯は、錨形６をしており、このため、リンク２１を様々な異なる方向へと引っ張っても、リンク２１が引っ掛け歯６から外れないことを特徴とする、請求項１に記載のチューブ組立装置。
【請求項１０】
ハブの放射状リング４の引っ掛け歯７は、内部孔２０を有し、その孔の直径はこの構造を構築するのに使用するチューブを挿入するのに十分大きいことを特徴とする、請求項１に記載のチューブ組立装置。
【請求項１１】
放射状リング４は、外側突起部２２を有し、これにより、放射状リング４がハブの軸孔に挿入された場合、あるいは他の放射状リング４に挿入された場合に、放射状リング４をロックするようになっていることを特徴とする、請求項１に記載のチューブ組立装置。
【請求項１２】
放射状リング４とその内部の引っ掛け歯５、６、７との連結部は、少なくともその縁部において、幅広または肉厚であり、リンク２１に引っ張られても歯がひっくり返らないようになっていることを特徴とする、請求項１に記載のチューブ組立装置。
【請求項１３】
放射状リング４内部の引っ掛け歯５、６、７とハブの中央リング１７の間にある連結部は、丸まった縁部を有し、支持するリンクを損傷しないようになっていることを特徴とする、請求項１に記載のチューブ組立装置。
【請求項１４】
前部ハーフリング８および後部９ハーフリングの外面１８、１９は、相補型の凹凸をなしており、二つハブキャリアの相補面を対面させることにより、揺動または回転にバランスのとれた構造を作ることが可能であることを特徴とする、請求項１に記載のチューブ組立装置。
【請求項１５】
ハブキャリアの舌状部１、１４は、幾分幅狭で、外側に傾斜した端部を有しており、前記舌状部１、１４の挿入を容易に行うことができるようになっていることを特徴とする、請求項１に記載のチューブ組立装置。
【請求項１６】
ハブの舌状部３は、その基部に細長のオリフィスを有しており、ここにハブの他方の舌状部３を挿入し、固定しておくことが可能になっていることを特徴とする、請求項１に記載のチューブ組立装置。
【請求項１７】
放射状リング４は、ハブの中央リング１７に近接して、ラグを有することができ、このラグは、放射状リング４の両側を連結し、また、二つのハブが結合された場合に、このラグと中央リング１７によって形成されるオリフィスの中に、舌状部３を挿入することを可能とすることを特徴とする、請求項１に記載のチューブ組立装置。
【請求項１８】
放射状リングの引っ掛け歯７を放射状リングに連結する連結ラグ２３は、少なくともその一つの面上に、軸方向に引っ込んだ溝部を有しており、この溝部は、引っ掛け歯７の可撓性を高めて、放射状リング４および引っ掛け歯７を、構成チューブの内部に挿入することを可能とすることを特徴とする、請求項１に記載のチューブ組立装置。
【発明の詳細な説明】
【技術分野】
【０００１】
本発明は、固定した、または変形可能であり、あるいは弾性を有する二次元または三次元構造を構築することを目的とする、可撓性ハブと可撓性ハブキャリアにより構成されるチューブ組立装置に関する。
【０００２】
こうした構造は、美術教育、あるいは二次元または三次元モデルの構築によって容易化される幾何学、化学、工学、その他の学習およびその実践に用いることができる。さらに、この装置の要素として用いられるモジュールないしは材料に応じて、建築や家具に応用できる構造の構築に使用することもできる。
【発明の開示】
【課題を解決するための手段】
【０００３】
この三次元構造は、ノードおよびチューブにより構成される。この構造のノードを単純に、すなわち単一のハブから構成してもよいし、複合的に、すなわち複数のハブを直接あるいはハブキャリアを介して結合したものから構成してもよい。
【０００４】
この装置によって以下のことが可能になる；
−ハブまたはハブキャリアの寸法によって決定される平均値の上下およそ約２５％の範囲内で、異なる直径を有する複数のチューブを、ハブに連結する、
−チューブを必要とされる長さに切断することにより、このチューブの端部を調整することなく、必要とされるノード間の距離を得る、
−異なる構成要素を有する少数のハブにより、ノードから延出するアームの数を多様化する、
−単純または複雑なノードから延出するアームの方向を多様化する、
−単純または複雑なノードを、チューブの端部に固定する、
−チューブ上に配置されたノードが、チューブ上で可動となるように、チューブに沿ってノードを配置する、
−ハブまたはハブキャリアに設けられた所定の部分に、弾性または非弾性リンクを引っ掛けることにより、構造の構成要素を連結することを可能とし、これにより装置の構成要素間の結合力を強める。
【０００５】
ハブキャリアの外側には、一つまたは複数のハブを固定することができる。ハブキャリアの内側には、舌状部１を備える。舌状部１は、チューブが軸となるように、あるいは、チューブに取り囲まれるようにして、チューブに導入されうる。
【０００６】
鉤形の拡張部２が、ハブキャリアの連結ラグ１０、１１上に、あるいは、ハブキャリアの前部ハーフリング８より延出した分岐舌状部１２上に備えられているので、リンク２１を用いて、ハブキャリアを他の構成要素と連結できる。リンク２１は、変形可能な構造をモデル化できるよう、弾性であることが好ましい。
【０００７】
ハブは、放射状アーム３と、ハブの軸に向かう内側引っ掛け歯５、６、７を有する放射状リング４とを備える。これらの引っ掛け歯は、単に線状５であってもよいし、錨形６であってもよく、また、この構造に使用されるチューブを挿入するのに十分な寸法の、円形あるいは細長の孔７を内側に備えてもよい。構造を構築する際、多様な構成要素であるハブ、ハブキャリアおよびチューブは、直接的または間接的にそれぞれと結合することができ、様々なタイプの構造を作成することが可能となる。
【０００８】
ハブのリング４に設けられた引っ掛け歯の形をした拡張部５、６または７は、構造用の異なる構成要素を連結するリンク２１を引っ掛けることを可能とする。また、ハブの放射状リング４に設けられた一つまたは複数の引っ掛け歯７の孔２０に、チューブを挿入することも可能であるし、また、チューブの直径が放射状リングの引っ掛け歯７に使用できる最大値より大きい場合には、チューブを一つまたは複数の放射状リング４自身に挿入することも可能である。
【０００９】
これらの拡張部５、６または７は、チューブの端部に挿入することができる。なお、錨形６や貫通形７の場合は、引っ掛け歯を軽く押すことにより、挿入できる。
【発明を実施するための最良な形態】
【００１０】
以下、添付図面を参照しながら本発明を説明する。
【００１１】
ハブキャリアは、四つのハーフリング８、９で構成され、二つの前部ハーフリング８と二つの後部ハーフリング９が四つの連結ラグ１０、１１により連結されている。
【００１２】
ラグ１０、１１はハブキャリアのハーフリング８、９の表面に対し約９０度をなしている。
【００１３】
前部および後部の二対のハーフリングは、ハブキャリアの前後軸に対して９０度をなしている。このハーフリングは相補型の凸部１８および凹部１９を有しており、凸状および凹状の相補的端部を互いに挿入し合うことにより、安定的に設置することができる。
【００１４】
二つの上部の連結ラグ１０によって、一方の前部ハーフリング８の後部側方部は、左右の後部ハーフリング９の上部にそれぞれ連結される。
【００１５】
二つの下部の連結ラグ１１によって、他方の前部ハーフリング８の後部側方部は、左右の後部ハーフリング９の下部にそれぞれ連結される。
【００１６】
ラグ１０、１１は可撓性であり、可撓性で放射状の鉤形の拡張部２を有してもよい。この拡張部は、ハブキャリアに通された一つまたは複数のハブを固定し、また、ハブキャリアと構造の他の構成要素とを連結する弾性リンクを、引っ掛けることを可能としている。
【００１７】
ハブの設置は、ハブキャリアの前部ハーフリング８の中間部から延出した一対の舌状部１２を介して、行うこともできる。この舌状部は、その中間部の外側に拡張部１３を有し、ハブはハブキャリアに装着される際、この拡張部１３の間に配置される。
【００１８】
凸外面を持つ舌状部１が、各前部ハーフリング８の後方から延出する。そして、後部ハーフリング９の位置まで、あるいはハーフリング９を越えて伸長する。そして、後部ハーフリングの位置で、あるいはこれを越えた位置で、他方の前部ハーフリング８から延出した舌状部１と、ほとんど接触するくらいに接近する。
【００１９】
凸外面を持つ舌状部１４は、各後部ハーフリング９の後方から延出する。そして、前部ハーフリング８の位置まで、あるいはハーフリング８を越えて伸長する。
【００２０】
これらの舌状部１、１４は、基部のほうが幅狭かつ肉厚である。
【００２１】
各舌状部は、基部からおよそ半分までは幅狭１５であるが、およそ中間部において約９０度の角度で急激に幅広になり、そして、丸くなって最大幅１６を有するにいたる。舌状部１、１４のこの部分の縁は、内側に向けて傾斜づけられている。
【００２２】
各舌状部１、１４の端部は、チューブへの挿入を容易にするため、わずかに幅狭となり、その縁は外側に向けて傾斜づけられている。
【００２３】
これら舌状部の幅広部の縁は、縦方向にまっすぐであり、この部分は、舌状部１、１４の軸部分よりも肉薄であってもよい。
【００２４】
この二対の舌状部のうちの一対の舌状部１４は、ハブキャリアの後方より延出しており、もう一対の舌状部１は前方より延出している。前方の一対の舌状部１はハブキャリアの内側部分に属し、その端部は収束している。後部の一対の舌状部１４は、ハブキャリアを使用しないときはハブキャリアの外側にある。しかし、通常の条件で使用するときは、後部舌状部１４は、連結ラグ１０、１１を押し広げることにより、ハブキャリアの中に押入される。後部舌状部１４が一たび押入されると、これらの連結ラグ１０、１１は、もとの閉位置に戻り、後部舌状部１４が飛び出すことを防ぐ。連結ラグ１０、１１の厚さを、この部分において薄くすることで、後部舌状部１４を押入し易いようにしてもよい。
【００２５】
従って、一たび舌状部１４が押入されると、ハブキャリア内では、対向する二対の舌状部１、１４が、前後軸に関して約９０度の角度をなす。
【００２６】
ハブキャリアに軸を装着する際、舌状部１または１４が軸に挿入されると、すなわち、ハブキャリアが軸の端部に位置する場合には、チューブは、チューブの内側にあり、チューブとハーフリング８、９によって押圧される舌状部１または１４と、チューブの外側にぴったりと押しつけられたもう一対の舌状部１または１４との間で、押圧される。この圧力はハブキャリア上へのハブの配置によって増加する。
【００２７】
舌状部１および１４が、チューブの外側に位置する場合は、チューブは、舌状部１および１４を介して、ハーフリング８および９によって軽く押圧される。
【００２８】
ハブキャリアは、二つのチューブ同士を連結することもできる。そのためには、ハブキャリアの各端部にチューブを配置し、後部に挿入されるチューブは、前部から出る舌状部１に挿入し、前部に挿入されるチューブは、後部から出る舌状部１４に挿入する。
【００２９】
挿入された各チューブは、ハブキャリアの中間部まで入り込み、対向する舌状部１、１４は互いに交差し、各一対の舌状部１、１４の基部が他の一対の舌状部の末端部上にあるチューブの圧力で押圧され、チューブを締め付ける。ハブがハブキャリアに装着されると、この締合力はさらに向上する。
【００３０】
前部ハーフリング８および後部ハーフリング９の凸凹部は、互いに相補し合っているので、二つのサブ構造を組み合わせて、揺動または回転のバランスのとれた組立品を作ることができる。
【００３１】
ハブキャリアに装着されたハブは、リング形状をした平坦または円錐形の軸部分１７を有する。この軸部分の孔は、ハブの放射状リング４の最大幅よりも小さい直径を持つ。この中央リング１７から、細長い舌状部３の形状をした放射状の拡張部が延出する。この舌状部３は、端部および各舌状部３の中間部付近で、幅狭になっている。これらの舌状部３は、中央リング１７との連結部に近接して、細長いオリフィスを有することができ、このオリフィスの中に、同一のあるいは異なるハブから延出したもう一つの舌状部３を通して、構造のノードの性質（連結状態）を変えることができる。鉤形あるいはリング状の拡張部４は、これらの舌状部３の間に、かつ、中央リング１７に連結して配置され、その内部に、放射状リング４の軸に向う引っ掛け歯５、６、７を有する。これらの拡張部４の中間側部には、丸みのある突起部２２があり、いくつかのハブを互いに結合する際、放射状リング４を、ハブの軸部分の孔１７に挿入したり、あるいは他の放射状リング４に挿入したりする場合に、ハブの放射状リング４同士が、より良く結合するようになっている。
【００３２】
ハブは可撓性の材料から作られる。これにより、異なる軸線に沿ってハブを折り曲げ、ハブの拡張部の空間構成を異ならせることができる。なお、このことは、ハブ自身を折り曲げることによって、あるいは、ハブの一つまたは複数の構成要素を、同一のハブの一つまたは複数の構成要素、あるいは結合された他のハブに挿入することによって、達成される。
【００３３】
放射状の舌状部３は、構造のチューブ内に挿入される。一つのチューブは、一つの舌状部３を受け止めてもよいし、また、一つのハブの複数の舌状部３、あるいは様々なハブの複数の舌状部３を受け止めてもよい。これらの舌状部３は、折り曲げずに挿入してもよいし、また、舌状部からチューブにかかる内圧によって舌状部とチューブ間の連結を強化するために、折り曲げて挿入してもよい。
【００３４】
ハブの放射状リング４の引っ掛け歯５、６、７は、放射状リング４との連結部において、より肉厚、あるいは幅広になっている。この連結部は、何らかの場合に、支持するリンクを損傷しないよう、側部に丸みを持たせている。この引っ掛け歯は、線状５にして、放射状リングの孔２０の少なくとも半分まで延出するようにしてもよいし、錨形６にして、歯が可撓性リンクを支持する場合に、リンクが放射状リング４の引っ掛け歯６から外れずに、様々な異なる方向への張力に耐えうるようにしてもよい。また、引っ掛け歯に細長の孔７を設けて、可撓性リンクを放射状リング４との連結部に引っ掛けられるようにするだけでなく、ハブを折り曲げたとき、ラグ２３によって放射状リング４に連結されたリング状穿孔歯７を、チューブが通れるようにしてもよい。
【００３５】
チューブをリング状穿孔歯７に挿入することによって、以下のことが可能になる；
−二つの放射状リング４を折り曲げた場合に、ハブの平面に対し平行な方向にチューブを挿入することができ（図９）、
−ハブが四つの放射状リング４を備える場合、ハブ平面の反対側の各放射状リング４を折り曲げることにより、二つのチューブを、ハブの各側部に対して９０度で交差させることができ、
−ハブが四つの放射状リング４を備える場合、対向する二つの放射状リング４を折り曲げ、かつ、リング状穿孔歯７を折り曲げることにより、ハブの軸および放射状リング４の孔２０にチューブを通し、リング状穿孔歯７を介して維持することが可能となる（図１０）。
【００３６】
ハブが四つの舌状部３および四つの放射状リング４を備える場合、以下の可能性が考えられるが、これらには限定されない；
−対向する二つの舌状部３の軸に沿って、ハブを折り曲げることにより、直交する三つのアームを得る（図１１）、
−二つの放射状リング４の軸に沿って、ハブを折り曲げることにより、二対の垂直なアームを重ね合わせたハブを得る（図１２）、
−ハブの一つの舌状部３を隣の舌状部３に重ねて折り曲げて、元来の四方向の代わりに、三方向のみに広がるアームを有するハブを得る（図１３）、
−二対の舌状部３を逆方向に折り曲げ、ハブの中央リング１７を変形させつつ、同じ側の舌状部３同士を互い押しつけて、結合すべきチューブを挿入することができるような二対の対向する舌状部３を得る（図１４）。
【００３７】
簡易なハブを結合することにより、複雑なハブを形成することができる。例えば、以下の方法によって結合することができるが、これらには限定されない。
【００３８】
−中央リング１７の同じ側に、対向する二つの放射状リング４を折り曲げて、二つのリング状穿孔歯７をハブキャリア軸に向けて互いに押し、チューブをこの歯の中に挿入することにより、このハブキャリアをチューブの端部に固定する、
−一つまたは複数の放射状リング４を、他のハブの中央孔に挿入することにより、ハブを他の一つまたは複数のハブに結合する（図１５）、
−上下（図１６）あるいは左右に隣接するハブ同士の間で、異なるハブに属する二つの放射状リング４を挿入することにより、ハブ同士を結合する、
−一つまたは複数の舌状部３を、異なるハブの一つまたは複数の舌状部３の基部に位置するオリフィスに挿入することにより、異なるハブを結合する、
−放射状の舌状部３を、相互にあるいは一方的に、他のハブの中央孔に挿入することにより、異なるハブを結合する。
【００３９】
構成要素を結合するこれらの方法は限定的なものではなく、また、それぞれ組み合わせることも可能なので、可能な構造の数はさらに多い。
【００４０】
使用されるリンク２１は、ハブキャリアまたはハブを連結することができ、好ましくは可撓性リンクである。これらのリンクは、例えば、構造を構成する多角形の上部同士といった、近接した要素（図１７、図１８）を連結したり、あるいは、離れた要素を連結する。
【００４１】
放射状リング４が孔２０を有するリング状穿孔歯７を備える場合、リング状穿孔歯７と放射状リング４の連結部２３の側部を肉厚に、中心部を肉薄にして、放射状リング４をこの肉薄部の軸に沿って折り曲げることを可能とし、二次元あるいは三次元構造を構成するチューブの一つに、放射状リング４をより挿入し易くしてもよい。
【図面の簡単な説明】
【００４２】
【図１】連結ラグ上に鉤形の拡張部を備えたハブキャリアを示す概略図である。
【図２】前部ハーフリングから延出した一対の分岐舌状部１２を備えたハブキャリアの内部構造を示す部分概略図である。
【図３】線状の歯を備えるハブを示す概略図である。
【図４】錨形の歯を備えるハブを示す概略図である。
【図５】リング状穿孔歯を備えるハブを示す概略図である。
【図６】チューブの端部に固定したハブキャリア内部を示す部分概略図である。チューブはハブキャリアに完全に装入されておらず、構成要素の配置を示すため、後部から出る舌状部１４の一方と、前部から出る舌状部１の一方は図示していない。
【図７】二つのチューブを連結するハブキャリア内部を示す部分概略図である。チューブはハブキャリアに完全には装入されておらず、構成要素の配置を示すため、後部から出る舌状部１４の一方と、前部から出る舌状部１の一方は図示していない。
【図８】二つのチューブを連結し、二つのハブを支持する状態のハブキャリアを弾性リンクとともに示す概略図である。
【図９】チューブをハブの放射状リング４に挿入するときに、ハブが折り曲げられた状態を示す概略図である。
【図１０】チューブがハブの中央孔およびハブの放射状リング４内に挿入された状態を示す概略図である。
【図１１】二つの反対側の舌状部３の軸に沿って、ハブが折り曲げられた状態を示す概略図である。
【図１２】二つの反対側の放射状リング４の軸に沿って、ハブが折り曲げられた状態を示す概略図である。
【図１３】ハブの隣接する二つの舌状部３を折り曲げた状態を示す概略図である。
【図１４】二対の対向する舌状部３をそれぞれ逆方向に折り曲げた状態を示す概略図である。
【図１５】一対の放射状リングを他方のハブの中央孔に挿入することにより、二つのハブが結合した状態を示す概略図である。
【図１６】一対の対向する放射状リング４を他方のハブの放射状リング４に挿入することにより、二つのハブが結合した状態を示す概略図である。
【図１７】弾性リンクが一周している状態を示す基礎的構造を示す図である。
【図１８】二種類のリンクによって連結された三つの舌状部を有するハブを備える基礎的構造を示す図である。
【図１】
2005534067.tif 000003
【図２】
2005534067.tif 000004
【図３】
2005534067.tif 000005
【図４】
2005534067.tif 000006
【図５】
2005534067.tif 000007
2005534067.tif 000008
【図８】
2005534067.tif 000009
【図９】
2005534067.tif 000010
【図１０】
2005534067.tif 000011
【図１１】
2005534067.tif 000012
【図１２】
2005534067.tif 000013
【図１３】
2005534067.tif 000014
【図１４】
2005534067.tif 000015
【図１５】
2005534067.tif 000016
【図１６】
2005534067.tif 000017
【図１７】
2005534067.tif 000018
【図１８】
2005534067.tif 000019
【国際調査報告】
2005534067.tif 000020
2005534067.tif 000021
2005534067.tif 000022
2005534067.tif 000023